(57)【要約】【課題】加熱された水等の熱媒体を良好に貯溜しつつ、水蒸気等のガスを外部に排出可能なタンク装置を提供する。【解決手段】水を貯溜するタンク１０と、タンク１０内の水を加熱するヒートポンプ２０と、タンク１０の上部に接続されると共に、タンク内圧力が第１所定圧力以上になると開きタンク１０内の水蒸気を外部に逃す逃し弁３１と、タンク１０に接続されると共に、電子制御により開くことで、タンク１０内に貯溜される加熱前の低温水を外部に排出する排出弁４１と、排出弁４１を電子制御するコントローラ７０と、を備え、コントローラ７０は、ヒートポンプ２０によるタンク１０内の水の沸き上げ中、逃し弁３１を通って外部に排出される高温水が減るように、排出弁４１を開き低温水を外部に排出する給湯機１である。【選択図】図１
2012007832.tif 000002
【特許請求の範囲】
【請求項１】
温度上昇すると相変化してガスを生成する熱媒体を貯溜するタンクと、
前記タンク内の熱媒体を加熱する加熱手段と、
前記タンクの上部に接続されると共に、タンク内圧力が第１所定圧力以上になると開き前記タンク内のガスを外部に逃す逃し弁と、
前記タンクに接続されると共に、電子制御により開くことで、前記タンク内に貯溜される加熱前の熱媒体を外部に排出する排出弁と、
前記排出弁を電子制御する制御手段と、
を備え、
前記制御手段は、前記加熱手段による前記タンク内の熱媒体の加熱中、前記逃し弁を通って外部に排出される液体状態である高温の熱媒体が減るように、前記排出弁を開き加熱前の熱媒体を外部に排出する
ことを特徴とするタンク装置。
【請求項２】
前記制御手段は、前記加熱手段による前記タンク内の熱媒体の加熱終了前の所定時刻経過後、前記排出弁を開かない
ことを特徴とする請求項１に記載のタンク装置。
【請求項３】
前記タンク内のタンク内圧力を検出する圧力センサを備え、
前記制御手段は、前記圧力センサの検出するタンク内圧力が前記第１所定圧力よりも低い第２所定圧力以上となった場合、前記排出弁を開く
ことを特徴とする請求項１又は請求項２に記載のタンク装置。
【請求項４】
環境温度を検出する温度センサを備え、
前記制御手段は、前記温度センサの検出する環境温度が高くなるにつれて、前記第２所定圧力が低くなるように設定する
ことを特徴とする請求項３に記載のタンク装置。
【請求項５】
前記制御手段は、所定の開インターバルの経過毎に、前記排出弁を開く
ことを特徴とする請求項１又は請求項２に記載のタンク装置。
【請求項６】
環境温度を検出する温度センサを備え、
前記制御手段は、前記温度センサの検出する環境温度が高くなるにつれて、前記開インターバルが短くなるように設定する
ことを特徴とする請求項５に記載のタンク装置。
【請求項７】
前記逃し弁は、前記制御手段により電子制御されることで開く電子制御弁である
ことを特徴とする請求項１から請求項６のいずれか１項に記載のタンク装置。
【発明の詳細な説明】
【技術分野】
【０００１】
本発明は、加熱された熱媒体を貯溜するタンク装置に関する。
【背景技術】
【０００２】
近年、ヒートポンプや電気ヒータ（加熱手段）を熱源とした給湯機（タンク装置）の開発が進められている。このような給湯機は、加熱された水（高温水、熱媒体）貯溜するタンクを備えている。
【０００３】
例えば、特許文献１には、タンク内のスラッジを排出するために、タンクの上部に温度・圧力弁を設け、タンクの下部に圧力逃し弁を設け、上部の温度・圧力弁の開弁圧力を、下部の圧力逃し弁の開弁圧力よりも高めに設定する技術が提案されている。すなわち、上部の温度・圧力弁は、下部の圧力逃し弁がスラッジ等によって目詰まりし動作不能となった場合に開く設定となっている。
【先行技術文献】
【特許文献】
【０００４】
【特許文献１】特開平８−２８９５９号公報
【発明の概要】
【発明が解決しようとする課題】
【０００５】
ここで、タンクに貯溜された水を沸き上げるため（加熱するため）、ヒートポンプや電気ヒータで水を加熱すると、水の一部は相変化して水蒸気（ガス）を生成し、この水蒸気はタンク内の上部に溜まる。
このように水蒸気が溜まると、タンクの上部からシャワー等の外部機器に取り出される給湯（加熱された高温の水）に、水蒸気が混入してしまう虞や、タンク内の水の温度を検出する温度センサが誤検出してしまう虞がある。
【０００６】
なお、前記した特許文献１の技術では、上部の温度・圧力弁が、下部の圧力逃し弁が動作不能となった場合に開く設定であるので、タンク内圧力が上昇すると、給湯（加熱された高温の水）が下部の圧力逃し弁から排出したり、上部の温度・圧力弁が開かず、水蒸気がタンクに溜まってしまう虞がある。
【０００７】
そこで、本発明は、加熱された水等の熱媒体を良好に貯溜しつつ、水蒸気等のガスを外部に排出可能なタンク装置を提供することを課題とする。
【課題を解決するための手段】
【０００８】
前記課題を解決するための手段として、本発明は、温度上昇すると相変化してガスを生成する熱媒体を貯溜するタンクと、前記タンク内の熱媒体を加熱する加熱手段と、前記タンクの上部に接続されると共に、タンク内圧力が第１所定圧力以上になると開き前記タンク内のガスを外部に逃す逃し弁と、前記タンクに接続されると共に、電子制御により開くことで、前記タンク内に貯溜される加熱前の熱媒体を外部に排出する排出弁と、前記排出弁を電子制御する制御手段と、を備え、前記制御手段は、前記加熱手段による前記タンク内の熱媒体の加熱中、前記逃し弁を通って外部に排出される液体状態である高温の熱媒体が減るように、前記排出弁を開き加熱前の熱媒体を外部に排出することを特徴とするタンク装置である。
【発明の効果】
【０００９】
本発明によれば、加熱された水等の熱媒体を良好に貯溜しつつ、水蒸気等のガスを外部に排出可能なタンク装置を提供することができる。
【図面の簡単な説明】
【００１０】
【図１】第１実施形態に係る給湯機の構成を示す図である。
【図２】第１実施形態に係る給湯機の動作を示すフローチャートである。
【図３】温度と沸き上げ時間との関係を示すグラフである。
【図４】温度と第２所定圧力との関係を示すグラフである。
【図５】第１実施形態に係る給湯機の一動作例を示すタイムチャートである。
【図６】第２実施形態に係る給湯機の動作を示すフローチャートである。
【図７】温度と開インターバルとの関係を示すグラフである。
【図８】第２実施形態に係る給湯機の一動作例を示すタイムチャートである。
【発明を実施するための形態】
【００１１】
≪第１実施形態≫
以下、本発明の第１実施形態について、図１〜図５を参照して説明する。
【００１２】
≪給湯機の構成≫
第１実施形態に係る貯湯式の給湯機１は、２３時〜７時の安価な深夜電力を利用して水を沸き上げ、高温水（高温の熱媒体）をタンク１０で貯溜する給湯機である。
給湯機１は、水（熱媒体）を貯溜するタンク１０と、タンク１０の水を加熱するヒートポンプ２０（加熱手段）と、タンク１０の上部に接続されると共に、開くことでタンク１０内の水蒸気（ガス）を外部に逃す逃し弁３１と、タンク１０の下部に接続されると共に、開くことでタンク１０内の低温水（加熱前の熱媒体）を外部に排出する排出弁４１と、タンク１０内の圧力（タンク内圧力）を検出する圧力センサ５１と、タンク１０内の温度を検出する温度センサ６１〜６３と、これらを電子制御するコントローラ７０（制御手段）と、を備えている。
【００１３】
＜タンク＞
タンク１０は、その内部に水を貯溜する縦型のものである。
そして、外部の給水源からの給水（水道水）が、配管１１ａ、所定圧力（例えば８５ｋＰａ）に減圧する減圧弁１１、配管１１ｂを介して、タンク１０の下部（底部）に導入されるようになっている。
【００１４】
また、配管１１ｂの途中は、配管１１ｃを介して、混合弁３２に接続されている。そして、外部から給湯要求があると（例えば温水コックが開）、要求された給湯温度となるように、コントローラ７０が、配管１１ｃからの水と配管３１ａ、配管３１ｃからの高温水との混合弁３２における混合比を適宜に制御するようになっている。なお、混合後の給湯は、配管３２ａを通って、温水コック等の給湯機器に供給されるようになっている。
【００１５】
また、タンク１０の下部は、配管１２ａ、循環ポンプ１２、配管１２ｂ、コンデンサ２２（凝縮器）、配管１２ｃを介して、タンク１０の上部に接続されている。
そして、タンク１０内の水の沸き上げ時において、つまり、ヒートポンプ２０（コンプレッサ２１）が作動している状態で、コントローラ７０からの指令に従って循環ポンプ１２が作動すると、タンク１０の下部の水が循環ポンプ１２に吸引され、コンデンサ２２で加熱された後、タンク１０の上部に流入するようになっている。
【００１６】
したがって、タンク１０内において、高温水は、タンク１０の上部から徐々に貯溜されることになる。つまり、タンク１０内における水の温度は、上方が高く、下方に向かうにつれて低くなる。
【００１７】
また、このように加熱されると、水は体積膨張し、また、水の一部は加熱により相変化して水蒸気（ガス）を生成する。これにより、沸き上げが進むとタンク内圧力は、徐々に高くなる。
なお、生成した水蒸気は、タンク１０内の上方に溜まることになる。
【００１８】
＜ヒートポンプ＞
ヒートポンプ２０は、冷媒を圧縮／膨張させることで、熱を汲み上げ、配管１２ａ〜配管１２ｃを循環する水を加熱し、タンク１０内の水を加熱する装置である。
【００１９】
ヒートポンプ２０は、コントローラ７０の指令に従って作動し、冷媒を圧縮し高温とするコンプレッサ２１と、コンプレッサ２１からの高温の冷媒を凝縮させると共に、循環する水を加熱するヒータとなるコンデンサ２２（凝縮器）と、コンデンサ２２からの冷媒を膨張させる膨張弁２３と、外気の熱を吸熱し、膨張した冷媒を蒸発させるエバポレータ２４（蒸発器）と、を備えている。
【００２０】
ただし、タンク１０内の水を加熱する加熱手段はヒートポンプ２０に限定されず、その他に例えば、タンク１０内に設けられ、通電されると発熱する電気ヒータであってもよい。
【００２１】
＜逃し弁＞
逃し弁３１は、配管３１ａを介して、タンク１０の上部に接続された常閉型の弁であって、タンク内圧力が第１所定圧力（例えば９７ｋＰａ）以上になると開くように、圧縮コイルばね等で機械的に構成された弁である。つまり、逃し弁３１は、リリーフ弁（放出弁）として機能している。
そして、逃し弁３１が開くと、タンク１０内の主に水蒸気が、配管３１ａ、配管３１ｂを通って外部に排出されようになっている。
【００２２】
ただし、本実施形態では、後記するように、ヒートポンプ２０による沸き上げ中、タンク１０内に上方から徐々に溜まっていく高温水が、逃し弁３１を通って外部に排出されにくいように、タンク１０の下部に接続する排出弁４１を適宜に開く設定となっている。
また、逃し弁３１の位置はこれに限定されず、その他に例えば、タンク１０の上部に直接設けられた構成でもよい。
【００２３】
＜排出弁＞
排出弁４１は、配管４１ａを介して、タンク１０の下部に接続された常閉型の弁であって、コントローラ７０からの開弁指令に従って適宜に開かれる電子制御弁である。
そして、排出弁４１は、本実施形態では、ヒートポンプ２０による沸き上げ中、タンク内圧力が第２所定圧力（例えば９０ｋＰａ）以上となった場合、開かれる設定となっている。ここで、第２所定圧力は、逃し弁３１が開く第１所定圧力（例えば９７ｋＰａ）よりも低い圧力で、減圧弁１１の二次側圧力（例えば８５ｋＰａ）よりも高い圧力に設定される（式（１）参照）。
【００２４】
減圧弁１１の二次側圧力＜第２所定圧力＜第１所定圧力  …（１）
【００２５】
そして、沸き上げ中、排出弁４１が所定の開弁時間にて開かれると、タンク１０の下部に滞留する加熱前の低温水が、配管４１ａ、排出弁４１、配管４１ｂを通って外部に排出され、タンク内圧力が下がり、逃し弁３１が開かないようになっている。これにより、タンク１０の上部に貯溜する高温水が、逃し弁３１を通って外部に排出されにくくなっている。
【００２６】
ただし、排出弁４１（配管４１ａ）の接続位置はこれに限定されず、排出弁４１を開いた場合に低温水が排出される位置であればよく、例えば、配管１１ｂに接続された構成でもよい。そして、このように構成されたとしても、本発明の技術的範囲に属することは言うまでもない。
【００２７】
＜圧力センサ＞
圧力センサ５１は、配管３１ａに取り付けられている。そして、圧力センサ５１は、タンク内圧力を検出し、コントローラ７０に出力するようになっている。
ただし、圧力センサ５１の取付位置はこれに限定されず、例えば、圧力センサ５１がタンク１０に直接取り付けられた構成でもよい。
【００２８】
＜温度センサ＞
温度センサ６１〜６３は、タンク１０に取り付けらてれおり、タンク１０内の水の全体温度が検出されるように、温度センサ６１は上部に、温度センサ６２は中部に、温度センサ６３は下部に取り付けられている。
そして、温度センサ６１〜６３は、タンク１０に貯溜されている水の温度を、給湯機１の曝されている環境の環境温度として検出し、コントローラ７０に出力するようになっている。
【００２９】
ただし、給湯機１の曝されている環境の環境温度を検出する温度センサは、タンク１０内の水の温度を検出する温度センサ６１〜６３に限定されず、その他に例えば、外気温度を検出する温度センサでもよい。
【００３０】
＜コントローラ＞
コントローラ７０（制御手段）は、給湯機１を電子制御する制御装置であり、ＣＰＵ、ＲＯＭ、ＲＡＭ、各種インタフェイス、電子回路などを含んで構成されており、その内部に記憶されたプログラムに従って、各種機能を発揮し、各種機器を制御するようになっている。
【００３１】
≪給湯機の動作≫
次に、図２のフローチャートを参照して、給湯機１の動作を説明する。
なお、本実施形態では、安価な深夜電力が２３時〜７時の場合を想定し、２３時になると、図２の処理がスタートするように設定されている。また、沸き上げ終了時刻を７時、沸き上げ終了前所定時刻を６時とした場合を例示する。
【００３２】
ステップＳ１０１において、コントローラ７０は、沸き上げ開始時刻を設定する。
具体的には、コントローラ７０は、温度センサ６１〜６３から入力されるタンク１０内の温度と、図３のグラフとに基づいて、今回、タンク１０内の水を沸き上げるのに要する時間（沸き上げ時間）を算出する。よって、図３に示すように、タンク１０内の温度が低くなるにつれて、沸き上げ時間は長くなる。
【００３３】
なお、図３のグラフは、事前試験等により求められ、コントローラ７０に記憶されている。また、温度センサ６１〜６３から入力される温度が異なる場合、例えば、平均化してもよいし、最も低い温度を採用してもよい。
【００３４】
そして、安価な深夜電力が７時までであるので、７時に沸き上げが終了するように、７時から前記沸き上げ時間の遡った時刻を、沸き上げ開始時刻とする。
【００３５】
ステップＳ１０２において、コントローラ７０は、排出弁４１を開く基準となる第２所定圧力を設定する。
具体的には、コントローラ７０は、温度センサ６１〜６３から入力されるタンク１０内の温度と、図４のグラフとに基づいて、第２所定温度を算出する。図４に示すように、タンク１０内の温度が高くなるにつれて、沸き上がりやすくなるので、第２所定圧力は低くなる。
なお、図４のグラフは、事前試験等により求められ、コントローラ７０に記憶されている。
【００３６】
ステップＳ１０３において、コントローラ７０は、内蔵するクロックを利用して、ステップＳ１０１で設定した沸き上げ開始時刻を経過しているか否か判定する。
沸き上げ開始時刻を経過している判定した場合（Ｓ１０３・Ｙｅｓ）、コントローラ７０の処理はステップＳ１０４に進む。一方、沸き上げ開始時刻を経過していないと判定した場合（Ｓ１０３・Ｎｏ）、コントローラ７０はステップＳ１０３の判定を繰り返す。
【００３７】
ステップＳ１０４において、コントローラ７０は、沸き上げを開始する。
具体的には、コントローラ７０は、ヒートポンプ２０（コンプレッサ２１）を作動させると共に、循環ポンプ１２を作動させる。
【００３８】
そうすると、コンデンサ２２において、循環する水が暖められ、高温水に変化する。そして、高温水は、タンク１０内の上方から徐々に溜まっていく。また、このように暖められ高温水になると体積膨張し、水蒸気が生成するので、タンク内圧力が徐々に高くなる。なお、水蒸気は、タンク１０内の上方に滞留することになる。
【００３９】
ステップＳ１０５において、コントローラ７０は、沸き上げ終了前所定時刻（例えば６時）を経過しているか否か判定する。沸き上げ終了前所定時刻は、その時刻から沸き上げ終了までは、排出弁４１を開かず、タンク内圧力の上昇により逃し弁３１を開くことで、タンク１０内の水蒸気が外部に排出されるように設定される。
【００４０】
沸き上げ終了前所定時刻を経過していると判定した場合（Ｓ１０５・Ｙｅｓ）、コントローラ７０の処理はステップＳ１０６に進む。一方、沸き上げ終了前所定時刻を経過していないと判定した場合（Ｓ１０５・Ｎｏ）、コントローラ７０の処理はステップＳ１０８に進む。
【００４１】
ステップＳ１０６において、コントローラ７０は、沸き上げ終了時刻（７時）を経過したか否か判定する。
沸き上げ終了時刻を経過したと判定した場合（Ｓ１０６・Ｙｅｓ）、コントローラ７０の処理は、ステップＳ１０７に進む。
【００４２】
一方、沸き上げ終了時刻を経過していないと判定した場合（Ｓ１０６・Ｎｏ）、コントローラ７０はステップＳ１０６の判定を繰り返す。このようにステップＳ１０６の判定を繰り返している場合も、ヒートポンプ２０による沸き上げは継続されているので、タンク内圧力は上昇する（図５参照）。そして、タンク内圧力が第１所定圧力になると、逃し弁３１が開き、タンク１０内の水蒸気が外部に排出される。
【００４３】
ステップＳ１０７において、コントローラ７０は、沸き上げを終了させる。
具体的には、コントローラ７０は、ヒートポンプ２０（コンプレッサ２１）及び循環ポンプ１２を停止させる。
【００４４】
その後、コントローラ７０の処理はエンドに進む。
【００４５】
ステップＳ１０８において、コントローラ７０は、圧力センサ５１から入力されるタンク内圧力がステップＳ１０２で設定した第２所定圧力以上であるか否か判定する。
【００４６】
タンク内圧力は第２所定圧力以上であると判定した場合（Ｓ１０８・Ｙｅｓ）、コントローラ７０の処理はステップＳ１０９に進む。一方、タンク内圧力は第２所定圧力以上でないと判定した場合（Ｓ１０８・Ｎｏ）、コントローラ７０の処理はステップＳ１０５に進む。
【００４７】
ステップＳ１０９において、コントローラ７０は、排出弁４１を所定の開時間にて開く（図５参照）。そうすると、タンク１０の下部に滞留する低温水が、排出弁４１を通って外部に排出され、タンク内圧力が下がる。また、このように排出弁４１が開かれると、タンク１０内に残留するスラッジを排出することもできる。
【００４８】
その後、コントローラ７０の処理はステップＳ１０５に進む。
【００４９】
≪給湯機の効果≫
このような給湯機１によれば次の効果を得る。
ヒートポンプ２０による沸き上げ中、逃し弁３１を通って外部に排出される高温水が減るように、タンク内圧力が第２所定圧力以上になった場合（Ｓ１０８・Ｙｅｓ）、排出弁４１を開くことで（Ｓ１０９）、加熱前の低温水を外部に排出することにより、タンク内圧力を下げることができる。
【００５０】
これにより、沸き上げ中に逃し弁３１が開きにくくなり、逃し弁３１を通って外部に排出される液体状態の高温水を減らすことができる。したがって、無駄な熱量の排出を防止し、例えば、年間実働機器効率（ＡＦＰ：Annual Performance Factor）で評価される給湯機１の加熱効率を高くできる。
【００５１】
また、沸き上げ終了前所定時刻を経過した場合（Ｓ１０５・Ｙｅｓ）、つまり、沸き上げ終了時刻が近づいてきた場合、排出弁４１を開かないので、逃し弁３１が開きやすくなる。これにより、タンク１０内の上方に滞留する水蒸気を外部に良好に排出できる。
【００５２】
≪変形例≫
以上、本発明の一実施形態について説明したが、本発明はこれに限定されず、例えば次のように変更できる。
【００５３】
前記した実施形態では、加熱対象である熱媒体が水である場合を例示したが、これに限定されることはない。例えば、潜熱蓄熱材を含む液体、ブライン、不凍液でもよい。
【００５４】
≪第２実施形態≫
次に、本発明の第２実施形態について、図６〜図８を参照して説明する。
第２実施形態に係る逃し弁３１は、常閉型の弁であって、コントローラ７０により電子制御される電子制御弁である。
また、第２実施形態では、第１実施形態に対して、コントローラ７０に設定されたプログラムが一部異なり、その動作が一部異なる。以下、異なる部分を説明する。
【００５５】
第２実施形態では、コントローラ７０の処理はステップＳ１０１の後、ステップＳ２０１に進む。
【００５６】
ステップＳ２０１において、コントローラ７０は、開インターバルを設定する。
具体的には、コントローラ７０は、温度センサ６１〜６３から入力されるタンク１０内の温度と、図７のグラフとに基づいて、沸き上げ中に逃し弁３１又は排出弁４１を開く間隔である開インターバルを算出する。図７に示すように、タンク１０内の温度が高くなるにつれて、沸き上がりやすくなるので、開インターバルは短くなる。
なお、図７のグラフは、事前試験等により求められ、コントローラ７０に記憶されている。
【００５７】
その後、コントローラ７０の処理はステップＳ１０３に進む。
【００５８】
次に、第２実施形態では、ステップＳ１０５の判定結果がＮｏの場合、ステップＳ２０２に進む。
ステップＳ２０２において、コントローラ７０は、後記するステップＳ２０４で逃し弁３１を開いた後、又は、ステップＳ２０６で排出弁４１を開いた後、ステップＳ２０１で設定した開インターバルが経過したか否か判定する。
なお、初回判定の場合は、例えば、ステップＳ１０４の処理を起算点とする。
【００５９】
開インターバルが経過したと判定した場合（Ｓ２０２・Ｙｅｓ）、コントローラ７０の処理はステップＳ２０３に進む。一方、開インターバルが経過していないと判定した場合（Ｓ２０２・Ｎｏ）、コントローラ７０の処理はステップＳ１０５に進む。
【００６０】
ステップＳ２０３において、コントローラ７０は、カウンタＮが２（回）であるか否か判定する。カウンタＮは、排出弁４１を連続して開弁した回数を計算するものである。ただし、判定基準となる回数は２（回）に限定されず、その他の回数でもよい。
【００６１】
カウンタＮは２であると判定した場合（Ｓ２０３・Ｙｅｓ）、コントローラ７０の処理はステップＳ２０４に進む。一方、カウンタＮは２でないと判定した場合（Ｓ２０３・Ｎｏ）、コントローラ７０の処理はステップＳ２０６に進む。
【００６２】
ステップＳ２０４において、コントローラ７０は、逃し弁３１を所定の開時間にて開く（図８参照）。そうすると、タンク１０の上部に滞留する水蒸気が、逃し弁３１を通って外部に排出され、タンク内圧力が下がる。
なお、このように逃し弁３１を開く場合、高温水が逃し弁３１を通って排出されないように、開時間は短時間とすることが好ましい。
【００６３】
ステップＳ２０５において、コントローラ７０は、カウンタＮを０にリセットする。
その後、コントローラ７０の処理は、ステップＳ１０５に進む。
【００６４】
ステップＳ２０６において、コントローラ７０は、排出弁４１を所定の開時間にて開く（図８参照）。そうすると、タンク１０の下部に滞留する低温水が、排出弁４１を通って外部に排出され、タンク内圧力が下がる。また、このように排出弁４１が開かれると、タンク１０内に残留するスラッジを排出することもできる。
【００６５】
ステップＳ２０７において、コントローラ７０は、カウンタＮを１加算する。
その後、コントローラ７０の処理は、ステップＳ１０５に進む。
【００６６】
なお、第２実施形態では、逃し弁３１が電子制御弁であるので、ステップＳ１０５の判定結果がＹｅｓとなった後、コントローラ７０は、開インターバルの経過毎に逃し弁３１を開き、タンク１０内に滞留する水蒸気を外部に排出する（図８参照）。つまり、ステップＳ１０５の判定結果がＹｅｓとなった後、逃し弁３１のみを定期的に開き、排出弁４１は閉じたままとする。
【００６７】
≪第２実施形態の効果≫
このような第２実施形態によれば、次の効果を得る。
図８に示すように、タンク１０内の温度に基づいて設定された開インターバルの経過毎に、排出弁４１又は逃し弁３１を開いて、タンク内圧力を良好に下げることができる。
また、排出弁４１を２回連続して開いた後、逃し弁３１を１回開くので、逃し弁３１を通って外部に排出される高温水を減らすことができる。
【符号の説明】
【００６８】
１      給湯機（タンク装置）
１０    タンク
１１    減圧弁
２０    ヒートポンプ（加熱手段）
３１    逃し弁
４１    排出弁
５１    圧力センサ
６１、６２、６３  温度センサ
７０    コントローラ（制御手段）
【図１】
2012007832.tif 000003
【図２】
2012007832.tif 000004
【図３】
2012007832.tif 000005
【図４】
2012007832.tif 000006
【図５】
2012007832.tif 000007
【図６】
2012007832.tif 000008
【図７】
2012007832.tif 000009
【図８】
2012007832.tif 000010